(57)【要約】【課題】この発明は、装置の全体構成、切断刃の形状の簡素化を図りつつ、電源コードの品質の低下を抑制できる電源コードの端末処理装置を提供することを目的とする。【解決手段】電源コードＸの径方向の位置を規制しつつ、軸方向のスライド移動を可能とする位置決め部材２と、導線Ｘ２を被覆する外装材Ｘ３に対して切込みＸ４、Ｘ４を入れる切断刃３１と、切断刃３１を保持する保持部３２とを備え、保持部３２は、切断刃３１を、位置決め部材２により位置決めされた電源コードＸの軸心に対して進退可能に保持する。切断刃３１の刃先は、一方向に向かってスライド移動する電源コードＸとの接触により押出力を付与されて、電源コードＸの軸心から退避する一方、他方向に向かってスライド移動する電源コードＸとの接触により引張力を付与されて、電源コードＸの軸心に向かって進出するようになっている。【選択図】図１
2008092623.tif 000002
【特許請求の範囲】
【請求項１】
電源コードの径方向の位置を規制しつつ、軸方向のスライド移動を可能とする位置決め部材と、
導線を被覆する外装材に対して切込みを入れる切断刃と、
該切断刃を保持する保持部とを備え、
該保持部は、前記切断刃を、前記位置決め部材により位置決めされた電源コードの軸心に対して進退可能に保持し、
前記切断刃の刃先は、一方向に向かってスライド移動する前記電源コードとの接触により押出力を付与されて、前記電源コードの軸心から退避する一方、
他方向に向かってスライド移動する前記電源コードとの接触により引張力を付与されて、前記電源コードの軸心に向かって進出する
電源コードの端末処理装置。
【請求項２】
前記押出力、引張力により前記保持部を回動可能に枢支する回動軸を備え、
前記保持部は、前記押出力により、前記切断刃の刃先を、前記電源コードの軸心から退避させる方向に回動し、
前記引張力により、前記切断刃の刃先を、前記電源コードの軸心に向かって進出させる方向に回動する
請求項１記載の電源コードの端末処理装置。
【請求項３】
前記保持部は、前記切断刃を水平に進退させるように保持する
請求項１または２記載の電源コードの端末処理装置。
【請求項４】
前記切断刃を複数備え、前記位置決め部材を中心にして対称に配設した
請求項１乃至３のうちいずれか一項記載の電源コードの端末処理装置。
【請求項５】
前記保持部に、前記位置決め部材に対する前記切断刃の刃先の位置を調節可能とする刃先位置調節部材を備えた
請求項１乃至４のうちいずれか一項記載の電源コードの端末処理装置。
【請求項６】
前記位置決め部材に、前記電源コードの端面と当接して一方向のスライド移動を規制するストッパ部材を備えた
請求項１乃至５のうちいずれか一項記載の電源コードの端末処理装置。
【発明の詳細な説明】
【技術分野】
【０００１】
この発明は、導線を被覆する外装材に対して切込みを入れる切断刃を備えた電源コードの端末処理装置に関する。
【背景技術】
【０００２】
従来より、電源コードをコネクタ等の部品に接続するために、導線の外周を被覆する外装材を、電源コードの端末において軸方向に所定距離だけ除去処理することが行われている。
【０００３】
このような外装材の除去処理は、作業者がカッターナイフを用いて、外装材の周方向に切込みを入れるといった手作業によってなされていた。
【０００４】
前記外装材としては、クロロプレンゴムやＥＰゴム、クロロスルホルン化ポリエチレンゴム等のゴム素材が用いられる場合がある。このようなゴム素材の外装材に対して、上述したような手作業による除去処理を行った場合、ゴム素材の弾性変形により、カッターナイフの切断刃を真っ直ぐに差込みにくいという不都合がある。よって、除去処理された後の外装材の端部が凸凹形状に仕上がってしまい、品質の粗悪な製品ができてしまうという問題があった。
【０００５】
また、手作業であるために、切断刃の切込みの深さを適切にすることが難しく、内部の導線までカッターナイフの刃先が入り込み、導線の一部を傷つけて品質の低下を招き、不良品を発生させてしまう可能性もある。
【０００６】
そこで、近年では、切断刃を設けたホルダ部材を、外装材の除去処理がなされるケーブル部材に対して相対的に回転させながら、これをケーブル部材に対して軸方向に相対的に移動させることで、外装材に螺旋状の切込みを入れ、導線から外装材を所定長さだけ除去できるようにした端末処理装置が提案されている（特許文献１参照）。
【０００７】
【特許文献１】特開２００２−２８１６３２号公報
【発明の開示】
【発明が解決しようとする課題】
【０００８】
しかしながら、前記特許文献１に開示の端末処理装置においては、ケーブル部材の軸方向の相対的な移動と同時に回転操作を伴うために、これら軸方向の移動と回転操作とを同期させる必要がある。従って、端末処理装置における制御系等が複雑化してしまい、結果として装置の全体構成が複雑化してしまうという問題がある。
【０００９】
また、特許文献１の端末処理装置においては、外装材に対して螺旋状の切込みを入れるためにＬ字型の切断刃を備えている。ここで、外装材に対して螺旋状に切込みを入れるためには、各切断刃の刃部が指向する角度、刃先の角度等を厳密に設定をしなければならず、そのため切断刃の形状が複雑化してしまうという問題がある。
【００１０】
この発明は、装置の全体構成、切断刃の形状の簡素化を図りつつ、電源コードの品質の低下を抑制できる電源コードの端末処理装置を提供することを目的とする。
【課題を解決するための手段】
【００１１】
この発明の電源コードの端末処理装置は、電源コードの径方向の位置を規制しつつ、軸方向のスライド移動を可能とする位置決め部材と、導線を被覆する外装材に対して切込みを入れる切断刃と、該切断刃を保持する保持部とを備え、該保持部は、前記切断刃を、前記位置決め部材により位置決めされた電源コードの軸心に対して進退可能に保持し、前記切断刃の刃先は、一方向に向かってスライド移動する前記電源コードとの接触により押出力を付与されて、前記電源コードの軸心から退避する一方、他方向に向かってスライド移動する前記電源コードとの接触により引張力を付与されて、前記電源コードの軸心に向かって進出することを特徴とする。
【００１２】
この発明の一実施態様においては、前記押出力、引張力により前記保持部を回動可能に枢支する回動軸を備え、前記保持部は、前記押出力により、前記切断刃の刃先を、前記電源コードの軸心から退避させる方向に回動し、前記引張力により、前記切断刃の刃先を、前記電源コードの軸心に向かって進出させる方向に回動することを特徴とする。
【００１３】
この発明の一実施態様においては、前記保持部が、前記切断刃を水平に進退させるように保持することを特徴とする。
【００１４】
この発明の一実施態様においては、前記切断刃を複数備え、前記位置決め部材を中心にして対称に配設したことを特徴とする。
【００１５】
この発明の一実施態様においては、前記保持部に、前記位置決め部材に対する前記切断刃の刃先の位置を調節可能とする刃先位置調節部材を備えたことを特徴とする。
【００１６】
この発明の一実施態様においては、前記位置決め部材に、前記電源コードの端面と当接して一方向のスライド移動を規制するストッパ部材を備えたことを特徴とする。
【発明の効果】
【００１７】
この発明によれば、予め電源コードの軸方向に切込みを入れることができる。これにより、周方向に切込みを入れる時、前記切断刃を外装材に対して差込み易くなるため、除去処理後の外装材の端部を真っ直ぐに仕上げることができ、結果として除去処理後の電源コードの品質の低下を抑制できる。  
さらに、電源コードの押込み、引抜きに伴う押出力、引張力を利用して前記切断刃を進退させる構成としたことにより、装置の全体構成の簡素化を図ることができる。そして、前記切込みを電源コードの軸方向に真っ直ぐに入れるようにしたため、前記切断刃の形状の簡素化も図ることができる。
【発明を実施するための最良の形態】
【００１８】
以下、図面に基づいて本発明の実施形態を詳述する。  
図１は、本発明の実施形態に係る端末処理装置１を示す平面図であり、図２は、位置決め部材２を示す側面図である。係る端末処理装置１は、主に、二点鎖線で示す電源コードＸの径方向の位置を規制する位置決め部材２、第１切込み部３、３、位置決め部材２上に備えられたストッパ部材４、第２切込み部５とから構成される。
【００１９】
位置決め部材２は、台座６上に固定され、電源コードＸを挿入可能な挿通孔２１ａを備えた第１位置決め部２１と、電源コードＸを載置可能な直径を有し、軸方向のスライド移動を可能とする半円形状の溝部２２ａが形成された第２位置決め部２２とから構成される。第１位置決め部２１、第２位置決め部２２は、挿通孔２１ａの中心と溝部２２ａの中心とが同一軸線上に位置するように配設される。
【００２０】
ここで、第１位置決め部２１には、第１切込み部３、３に対応して、両側部にスリット２１ｂ、２１ｂが形成されている。
【００２１】
第１切込み部３、３は、それぞれ、切断刃３１と、該切断刃３１を保持する保持部３２と、台座６に立設され、保持部３２を回動可能に枢支する回動軸３３とから構成されている。なお、第１切込み部３、３は、位置決め部材２を中心にして対称に配設されている。
【００２２】
図３は、図２におけるＡ−Ａ線矢視断面図を示しており、図１〜図３に示すように、切断刃３１は、その刃先が第１位置決め部２１のスリット２１ｂを貫通し、挿通孔２１ａに進出するように、保持部３２によって保持されている。
【００２３】
図４は、第１切込み部３の平面図、図５は、図４におけるＢ−Ｂ線矢視断面図を示している。切断刃３１は、保持部３２の台座３２ａの一部が凹んだ溝部３２ｂと、板状の押圧板３４とで挟持され、所定位置に固定できるようになっている。
【００２４】
押圧板３４は、ボルト３５、３５の締め付けによって所定位置に固定されるようになっており、逆に、ボルト３５、３５を緩めることによって、押圧板３４の固定状態は解除されるようになっている。従って、ボルト３５、３５を緩めることで、切断刃３１の固定状態は解除され、図４において二点鎖線で示すように、切断刃３１の位置、つまり位置決め部材２の挿通孔２１ａ（図３参照）に対する位置が適宜調節可能となっている。
【００２５】
図６は、ストッパ部材４の正面図を示しており、ストッパ部材４は、正面視で略コ字状に形成された本体４１を備えており、これが第２位置決め部２２上に載置されている。また、本体４１の側面には、ネジ孔４１ａが形成されており、そこには、一端側にハンドル４３が取付けられたボルト４２が螺合している。
【００２６】
ここで、電源コードＸを、第２位置決め部２２の溝部２２ａ上に載置した時、図示のように、電源コードＸの端面Ｘ１は、ストッパ部材４の本体４１の側壁に当接させることで、電源コードＸの一方向のスライド移動が規制されるようになっている。
【００２７】
ストッパ部材４においては、ハンドル４３の回転操作により、ボルト４２の先端を、第２位置決め部２２の側壁に対して当接させたり離間させたりできるようになっている。ボルト４２の先端を第２位置決め部２２の側壁に当接させると、本体４１の、第２位置決め部２２の長手方向の移動は規制され、ストッパ部材４が所定位置に固定された状態となる。一方、ボルト４２の先端を第２位置決め部２２の側壁から離間させると、本体４１を、第２位置決め部２２の長手方向の任意の位置に移動させることができ、その位置を適宜調節できるようになっている。
【００２８】
ところで、電源コードＸは、図７に示すように、導線Ｘ２と、これを被覆する外装材Ｘ３とからなり、端末処理装置１は、電源コードＸの端末の外装材Ｘ３を所定長さだけ除去処理するものである。
【００２９】
ここで、端末処理装置１を用いて外装材Ｘ３の除去処理を行う際には、先ず、ストッパ部材４の位置決めがなされる。ストッパ部材４の位置は、電源コードＸにおいて外装材Ｘ３の除去処理がなされる長さによって決まるものであり、切断刃３１が挿通孔２１ａに進出する位置から、前記除去処理がなされる長さ分だけ離間した位置に位置決めされる。
【００３０】
次に、除去処理がなされる電源コードＸの端末は、図７に示すように一方向のスライド移動により挿通孔２１ａに挿通され、第２位置決め部２２の溝部２２ａ上に載置されることとなる。ここで、電源コードＸは、その端面Ｘ１が、ストッパ部材４の本体４１の側壁に当接するまで押込まれ、所定位置にセットされる。
【００３１】
この時、切断刃３１、３１の刃先は、電源コードＸの外面と当接しており、スライド移動する電源コードＸとの接触により、切断刃３１、３１には押出力が付与される。これにより、保持部３２、３２が回動軸３３、３３を中心に図中矢印方向に回動し、切断刃３１、３１が電源コードＸの軸心から水平に退避する。但し、第１位置決め部２１のスリット２１ｂの端部により、保持部３２の回動はある程度規制されており、切断刃３１、３１の刃先と電源コードＸの外面との当接状態は維持されている。
【００３２】
ここで、切断刃３１、３１の刃先と、電源コードＸの外面との当接状態が維持されるように、押圧板３４、ボルト３５、３５により、切断刃３１、３１の位置が予め調節される。
【００３３】
電源コードＸを所定位置へセットした後、この電源コードＸを押込み時とは逆に、位置決め部２から引抜くと、電源コードＸは他方向へスライド移動させられることになる。この時、電源コードＸとの接触により、切断刃３１、３１には引張力が付与される。これにより、図８に示すように、保持部３２、３２が回動軸３３、３３を中心に図中矢印方向に回動し、切断刃３１、３１が電源コードＸの軸心に向かって水平に進出する。
【００３４】
このように、電源コードＸが位置決め部材２から引抜かれることにより、切断刃３１、３１の刃先が図示のように外装材Ｘ３に差込まれるため、図９に示すような、電源コードＸの軸方向に沿った切込みＸ４、Ｘ４を入れることができる。
【００３５】
ここで、電源コードＸの引抜き時において切断刃３１が最も進出した時、切断刃３１の刃先の位置が、電源コードＸの外装材Ｘ３の内端の位置と略一致し、内部の導線Ｘ２に食い込まないように、押圧板３４、ボルト３５、３５による切断刃３１、３１の位置が予め調節される。
【００３６】
電源コードＸの軸方向に切込みＸ４、Ｘ４を形成した後は、切込みＸ４、Ｘ４の端部にて、図９において一点鎖線で示すような周方向の切込みＸ５を入れることになる。そこで、本実施形態では、図１０に示すような第２切込み部５を用いて切込みＸ５を入れることを可能とし、電源コードＸの端末の外装材Ｘ３を完全に除去できるようになっている。
【００３７】
第２切込み部５は、電源コードＸを挿通させる挿通孔５１が穿設された従動プーリ５２に、ボルト５３によって複数（ここでは２つ）の切断刃５４、５４が取付けられている。切断刃５４には、ボルト５３が挿通されるスライド孔５４ａが形成されている。
【００３８】
従動プーリ５２には、ベルト５５が巻き掛けられており、駆動プーリ５６の回転力が伝達可能となっている。駆動プーリ５６は、その軸がモータＭに連結されており、モータＭの回転駆動により、切断刃５４、５４を電源コードＸに対して回転させることができる。従って、切断刃５４、５４によって、電源コードＸの周方向にＵ字状に切込みＸ５（図９参照）を入れることができ、最終的に電源コードＸの端末の外装材Ｘ３を所定長さだけ完全に除去することができる。
【００３９】
このように、第１切込み部３によって予め切込みＸ４、Ｘ４を入れるようにすることにより、電源コードＸの周方向に切込みＸ５を入れる時、切込みＸ４、Ｘ４がなく、任意の位置に切断刃５４を差込む場合に比べ、切断刃５４を外装材Ｘ３に差込み易くなる。従って、除去処理後の外装材Ｘ３の端部を真っ直ぐに仕上げることができ、結果として除去処理後の電源コードＸの品質の低下を抑制できる。
【００４０】
さらに、電源コードＸの外装材Ｘ３を、端面Ｘ１から所定長さだけ除去処理するにあたり、切断刃３１、３１が保持部３２によって進退可能に保持され、電源コードＸの押込み、引抜きに伴う押出力、引張力を利用して、切断刃３１、３１を電源コードＸの軸心に対して進退させるように構成しているため、複雑な制御は必要とされず、装置の全体構成の簡素化を図ることができる。
【００４１】
さらに、切断刃３１、３１によって、切込みＸ４、Ｘ４を、電源コードＸの軸方向に真っ直ぐに入れるようにしたため、切断刃３１の形状の簡素化を図ることができる。
【００４２】
本実施形態では、切断刃３１、３１を水平に進退させるようになっているが、例えば上下方向に進退させることも考えられる。但し、この場合は、電源コードＸの自重により、下側における切込みの深さが深くなり、導線Ｘ２に切断刃３１の刃先が及んでしまう虞がある。そこで、本実施形態のように、保持部３２が切断刃３１、３１を水平に進退させるように保持するようにすれば、電源コードＸの自重の影響を受けることはないため、切断刃３１、３１の刃先が不用意に導線Ｘ２に及ぶことを防止できる。
【００４３】
また、切断刃３１の刃先の位置を、押圧板３４、ボルト３５、３５により適宜調節可能としているため、電源コードＸの外装材Ｘ３の厚み等に応じた調節が可能となり、端末処理装置１の汎用性を向上させることができる。
【００４４】
なお、第２切込み部５においても、ボルト５３、５３、…を緩めることにより、スライド孔５４ａが形成された範囲で切断刃５４の刃先の位置を予め調節することが可能となっている。これにより、切断刃５４の切込みの深さを調節できる。
【００４５】
また、ストッパ部材４を備え、外装材Ｘ３を除去する長さに応じてその位置を予め調整可能することにより、切込みを入れる作業時には、単に電源コードＸを、ストッパ部材４に当接する位置まで押込み、そして、引抜くだけで容易に所定の長さ分の切込みＸ４、Ｘ４を入れることができる。
【００４６】
また、第１切込み部３、３、つまり切断刃３１、３１を、位置決め部材２を中心にして対称に配設していることにより、電源コードＸに対して同時に複数の切込みＸ４、Ｘ４を入れることができる。例えば、本実施形態のようにモータＭの駆動によらず、手作業で切込みＸ５を入れる場合、複数の切込みＸ４、Ｘ４を予め入ることで、図９の二点鎖線にて示すように、除去すべき外装材Ｘ３の部位を導線から剥離させた状態で作業を行うことができ、切込みＸ５を入れる作業が行い易くなる。
【００４７】
なお、上述した実施形態においては、回動軸３３を中心に保持部３２を回動させることで、切断刃３１を電源コードＸの軸心に対して進退させるように構成しているが、本発明においては、必ずしもこれに限定されるものではない。図１１は、本発明の別の実施形態に係る端末処理装置１００を示す平面図であり、例えば、図１１に示すように、所定位置に固定された保持部１３２の台座１３２ａにスライド溝１３２ｂを形成し、これに沿って、第１切込み部１０３、１０３の切断刃１３１、１３１をスライド移動可能に設けるように構成してもよい。
【００４８】
この場合、位置決め部材１０２に形成された溝部１０２ａに沿って電源コードＸを押込むと、押出力の付与により、切断刃１３１、１３１がスライド溝１３２ｂ、１３２ｂに沿って電源コードＸの軸心から退避する方向にスライド移動する。
【００４９】
そして、押込み時とは逆に、電源コードＸを図１１に示すように位置決め部材１０２から引抜くと、引張力の付与により、切断刃１３１、１３１がスライド溝１３２ｂに沿って電源コードＸの軸心に向かって進出する方向にスライド移動する。これにより、切断刃１３１、１３１の刃先が外装材Ｘ３に差込まれるため、電源コードＸの軸方向に沿った切込みＸ４、Ｘ４を入れることができる。
【００５０】
なお、本実施形態においては、電源コードＸの押込み時、切断刃１３１の刃先が電源コードＸの外面から離反することのないように、退避する方向のスライド移動を規制するストッパを設けることが好ましい。
【００５１】
さらに、電源コードＸの引抜き時、切断刃１３１の刃先が過剰に溝部１０２ａに進出し、電源コードＸの内部の導線Ｘ２に食い込むことがないように、進出する方向のスライド移動を規制する第２のストッパを設けることが好ましい。
【００５２】
また、切断刃１３１のスライド移動をスムーズにするために、スライド溝１３２ｂの表面の材質は、切断刃１３１との接触時において摩擦抵抗の少ないものを選定することが好ましい。
【００５３】
但し、最初の実施形態のように、回動軸３３を中心に保持部３２を回動させる構成とするほうが、切断刃３１、３１の進退は円滑に行われる。従って、動作の信頼性は端末処理装置１のほうがより高いものとなる。
【００５４】
なお、上述した各実施形態においては、切込みＸ４、Ｘ４を入れる際、電源コードＸを、端末処理装置１、１００に対して移動させるようにしているが、必ずしもこれに限定されない。電源コードＸを、端末処理装置１、１００に対して相対的に移動させればよく、端末処理装置１、１００側が、所定位置に固定された電源コードＸに対して移動するようにしてもよい。
【００５５】
この発明の構成と、上述の実施形態との対応において、
この発明の刃先位置調節部材は、押圧板３４、ボルト３５に対応するも、
この発明は、上述の実施形態の構成のみに限定されるものではなく、多くの実施の形態を得ることができる。
【図面の簡単な説明】
【００５６】
【図１】この発明の実施形態に係る端末処理装置を示す平面図。
【図２】位置決め部材を示す側面図。
【図３】図２におけるＡ−Ａ線矢視断面図。
【図４】第１切込み部を示す平面図。
【図５】図４におけるＢ−Ｂ線矢視断面図。
【図６】ストッパ部材を示す正面図。
【図７】電源コードの押込み時における端末処理装置の状態を示す平面図。
【図８】電源コードの引抜き時における端末処理装置の状態を示す平面図。
【図９】切込みが入った後の電源コードを示す斜視図。
【図１０】第２切込み部を示す正面図。
【図１１】この発明の別の実施形態に係る端末処理装置を示す平面図。
【符号の説明】
【００５７】
１、１００…端末処理装置
２、１０２…位置決め部材
４…ストッパ部材
３１、５４、１３１…切断刃
３２、１３２…保持部
３３…回動軸
３４…押圧板
３５…ボルト
Ｘ…電源コード
Ｘ２…導線
Ｘ３…外装材
Ｘ４、Ｘ５…切込み
【図１】
2008092623.tif 000003
【図２】
2008092623.tif 000004
【図３】
2008092623.tif 000005
【図４】
2008092623.tif 000006
【図５】
2008092623.tif 000007
【図６】
2008092623.tif 000008
【図７】
2008092623.tif 000009
【図８】
2008092623.tif 000010
【図９】
2008092623.tif 000011
【図１０】
2008092623.tif 000012
【図１１】
2008092623.tif 000013